(57)【要約】【課題】通常の抱き枕以外に、横抱きにした乳児の頭と乳児の頭を支える支持具、寝具としても使用出来る多機能を有する抱き枕。【解決手段】楕円形の袋状側地の中に充填物を詰めたクッションの長軸両端部にそれぞれが係合する掛け止め具を設け、長軸を中心とした両側二辺の弧に沿った周縁に、それぞれが係合可能な二本の係合部材を縫着し、長軸に沿ってクッションおよび側地を折り曲げて二本の係合部材をそれぞれ係合し、側地で覆われた楕円形クッションを舟形とし、更に長軸両端部の掛け止め具を掛けとめることにより、楕円形クッションを変形ドーナッツ型とする。【選択図】図２
0003139791.tif 000002
【実用新案登録請求の範囲】
【請求項１】
平面形状が楕円形をなした偏平な袋状側地の中に充填物を詰めたクッションを、該クッションを覆う同形状のクッションカバーで被覆し、クッションカバーの長軸両端部にそれぞれが係合する掛け止め具を設けてなる抱き枕。
【請求項２】
平面形状が楕円形のクッションカバーの長軸を中心とした両側二辺の弧に沿った周縁に、それぞれが係合可能な二本の係合部材を縫着し、長軸に沿ってクッションおよび側地を折り曲げて二本の係合部材をそれぞれ係合し、クッションを一辺の直線と他辺の弧状線とで囲われた舟形とすることを可能にした抱き枕。
【請求項３】
側地の長軸両端部に、それぞれが係合する掛け止め具を設け、楕円形クッションを長軸を中心に折り曲げ舟形とし、更に前記長軸方向両端の掛け止め具を掛けとめることにより、楕円形クッションを変形ドーナッツ型とすることを可能にした請求項２に記載の抱き枕。
【請求項４】
平面形状が楕円形をなした偏平な袋状側地の中に充填物を詰めたクッションの、側地の長軸両端部に、それぞれが係合する掛け止め具を設け、側地の長軸を中心とした両側二辺の弧にに沿った周縁に、それぞれが係合可能な２本の係合部材を取り付け、長軸に沿ってクッションを折り曲げて二本の結合部材をそれぞれ係合し、クッションを一辺の直線と他辺の弧状線とで囲われた舟形とすることを可能にした抱き枕。
【請求項５】
平面形状が楕円形のクッションのクッションカバーは、クッションの片面において楕円形短軸方向もしくは長軸方向にクッションの出し入れ口を設け、楕円形クッションを出し入れ自在としてなる請求項１乃至３のいずれかに記載の抱き枕。
【請求項６】
平面形状が楕円形のクッションカバーの周縁に縫着された係合部材がファスナーである請求項１乃至３及び５のいずれかに記載の抱き枕。
【請求項７】
平面形状が楕円形のクッション長軸方向に沿って、クッション表裏両側地を縫着するキルティングを設けてなる請求項１乃至５のいずれかに記載の抱き枕。 
【考案の詳細な説明】
【技術分野】
【０００１】
本考案は、成人が抱き枕として使用するほかに、生後間もない新生児から１歳児ぐらいまでの乳児を抱いて寝かしつける際に、横抱きにした乳児を保育者が楽な状態で支えたり、成人が読書時に書物等の支持台としても利用でき、或は展開して敷寝具及びクッションとしても使用できる多様な機能を有する多機能性の抱き枕に関する。
【背景技術】
【０００２】
就寝中の体圧分散や精神安定、リラックス効果のある抱き枕は市場に認知されている。従来、提案されている抱き枕としては、平面形状がＣ字形をなした抱き枕のＣ字の屈曲の内部に体を置き両脚でＣ字の下部屈曲部を挟んで横向きとなり、上下の屈曲部中央に背中を当てて休んでいる。この枕は、上部屈曲部を乗せ、妊婦の腹部を支持する形状に特徴を有する抱き枕（特許文献１）である。また、円柱状の抱き枕本体の上端部分が屈曲し、抱き枕本体から突出した枕部とした抱き枕（特許文献２）も知られているが、この抱き枕は前記突出した枕部に頭部を乗せ抱き枕本体下部を両脚で挟んで抱き枕本体を抱く姿勢でしか使用することは出来ない。また、前記特許文献２に記載の枕の突出部分に相当する部分をより一層屈曲させた形状とし、その他の首部、抱き枕部および足枕からなる本体各部の厚みを変化させたものも提案されている（特許文献３）。然し、この抱き枕も、前記屈曲した部分以外の使用方法は他と同様抱き枕本体部分は円柱状のクッション体構造であって、それを抱え或は脚で挟むなどして使用するのが一般で、基本的には使用形態は定まっている。
【特許文献１】実用新案登録第３０７６６３６号
【特許文献２】実用新案登録第３０３７４９５号
【特許文献３】特開２００５−１８５７３９号
【考案の開示】
【考案が解決しようとする課題】
【０００３】
本考案の抱き枕は、通常、人々が就寝時にほぼ円柱状の細長いクッション体よりなる抱き枕として使用するばかりでなく眠りが浅いため、度々覚醒し泣きだすことが多い乳幼児の授乳、就寝時や夜泣き時等の寝かしつけ時に、乳幼児を乗せ胸に抱きかかえることの出来る乳幼児支え部材としても使用出来、また、乳幼児のオムツ替え時等には展開された敷寝具又は敷きパットとして使用すべくクッション体を開いて、幼児をクッション体に横たえ、敷寝具としても使用可能な抱き枕を提供することを目的とする。更に、本考案の枕は、幼児支持部材として使用できるのみならず書籍、ゲーム機等の支持台としても使用可能で、その他多種の用途を有するものとした。
【課題を解決するための手段】
【０００４】
本考案の抱き枕は、楕円形の袋状側地の中に充填物を詰めたクッションを、該クッションを覆う同形状のクッションカバーで被覆し又は被覆せず、クッションカバー又はクッションの長軸両端部にそれぞれが係合する掛け止め具を設けてなる抱き枕であり、楕円形クッションカバー又はクッションの長軸を中心とした両側二辺の弧に沿った周縁に、それぞれが係合可能な二本の係合部材を縫着し、長軸に沿ってクッションおよび側地を折り曲げて二本の係合部材をそれぞれ係合し、側地で覆われた楕円形クッションを一辺の直線と他辺の弧状線とで囲われた舟形のクッションとすることが可能であり、通常の抱き枕として使用する。
更に、この抱き枕に多様な機能を持たせるため、側地の長軸両端部にそれぞれが係合する掛け止め具を設け、楕円形クッションを折り曲げて舟形としたものを更に楕円形長軸両端部の掛け止め具を掛けとめることにより、舟形クッションを変形ドーナッツ型とすることを可能にした。
【０００５】
充填物を詰めてなる楕円形クッションのクッションカバーは、クッションの一面において楕円形短軸方向にもしくは長軸方向にクッションの出し入れ開口を設け、楕円形クッションを出し入れ自在とし、楕円形クッションカバーの周縁に縫着された係合部材はファスナーを用いることが好ましい。また、楕円形クッション長軸方向に沿って、クッション表裏両側地を逢着する縫着線を設ければ、楕円形クッションを折り曲げることが容易になる。
【考案の効果】
【０００６】
本考案の抱き枕は、通常の抱き枕として使用する他、赤ちゃんの授乳、就寝時や夜泣き時、赤ちゃんを抱いて寝かしつける時に抱き枕を保育者が胴部に装着して乳幼児を支える台として使用し、また、抱き枕周縁に縫着され係合されている係合部材を解舒して楕円形に開いてパッドとして、乳幼児のオムツ替えクッションなどとしても使用可能である。更に、成人においても、本考案の枕は、形状を多様に変化させることが出来るので、ドーナッツ状の座り布団、背中に当てて背中を伸ばすクッション、或いは腹部前方にクッション体が突出するように装着することにより、書籍、ゲーム機等の支持台としても使用可能である。
【考案を実施するための最良の形態】
【０００７】
本考案の多機能抱き枕を、図面によって説明する。図１は、多機能抱き枕１００を示し、同枕１００は、平面形状を長楕円形とした表裏側地２，３による袋体の中に、充填物４を詰めたクッション本体１を、クッション本体１と同形のクッションカバー５で被覆してなる。図１Ｄは、図１ＣのＤ−Ｄ線断面図である。クッション本体１は、表側地２、および同型の裏側布地３とよりなる楕円形袋状物に充填物４を充填した細長い楕円形のクッションであって、表側地２、裏側地３と同型のクッションカバー５で覆われ多機能抱き枕１００を構成している。充填物４としては、吸汗作用を有する吸湿性の中綿、ポリエステル等の綿状の繊維物質、ポリスチレン等の発泡ビーズ類、パイプ類、ウレタンフォーム類、その他の柔軟な合成樹脂充填物を使用する。パイプ状合成樹脂充填物としては、例えば、軟質ポリエチレン及びまたはポリプロピレンよりなる直径３〜７ｍｍ、カット長４〜１０ｍｍ、肉厚０．１〜０．５ｍｍのパイプ状詰め物を使用することが出来る。
【０００８】
クッションカバー５は、開いたときの平面形状が図２Ａに示す如く細長い舟形の楕円形状で、クッション本体１とほぼ同形の平面形状をした表側地６と、裏側地７との周縁を縫合してなる袋体で、かつ、裏側地７は幅方向に７ａと７ｂとに２分割され、該分割部分の生地は重ね合わせて、開口部８を形成し、開口部８から袋体内にクッション本体１を挿入し或は取り出すことを可能にしている。又、開口部８はファスナー等の掛け止め具を使用する事もできる。
尚、上記の如く幅方向の開口部８とせず開口を長軸線Ｌ−Ｌ方向に延びるものとすることも可能である。この場合裏側地７の中間部分のみ開口可能としても良い。開口部８は図１Ａの如く２枚の裏地の端部を重ねても、或はファスナー等（図示せず）を設けても良い。
【０００９】
またクッションカバー５の長軸線Ｌ−Ｌ方向両端部には、図４Ａに示す如くテープ状の突出片９ａ，９ａを逢着することでテープ状突出片９ａ，９ａを結んだり、或は、該突出片９ａにホック等の掛け止め具９ｂを設け、相対する位置にある掛け止め具９ｂ同志を掛止することで、図４Ｂに示す如く多機能抱き枕１００を環状に固定することを可能にしている。掛け止め具９ｂとしては、通常用いられているホック、ボタン等が用いられる。
【００１０】
クッション本体１と平面視同形の、クッションカバー５の楕円形状周縁には、楕円長軸線Ｌ−Ｌを中心として対峙し、それぞれ対向する部材と係合する係合部材１０，１０を縫着する。図示の例はファスナーである。クッション本体１をクッションカバー５内に挿入し、共に楕円形の長軸線Ｌ−Ｌに沿って折り曲げ、クッションカバー５の周縁に縫着した係合部材１０，１０をあわせて係合することにより、クッションカバー５入りのクッション本体１は図１Ａ，Ｂに示すような半楕円形の舟形多機能抱き枕１００となる。この形状において、成人は、本考案の抱き枕を就寝時に使用することが出来る。更に、本考案の抱き枕１００は、この舟形のクッションカバー５の両端に設けられた掛け止め具９ｂ，９ｂを結合することにより、図４Ｂに示すように、中央部分に貫通部分１１を有する変形ドーナッツ状抱き枕１２となる。クッション本体１は使用時に長軸中心線Ｌ−Ｌ方向に２つ折りされる。この屈折を容易にし、詰物の位置を固定するために中心線Ｌ−Ｌに沿って中央部分にキルティングを施しても良い。
【００１１】
クッションカバー５を使用しない場合は、クッションカバー５に設けた、係合部材１０及びテープ状突出片９ａ、掛け止め具９ｂ等を、クッション本体１に設ける。即ち、クッション本体１の長手方向軸線上に位置するクッション本体の両端にはテープ状突出片９ａを必要に応じ掛け止め具９ｂを持たせて設け、クッション本体１の楕円形状周縁には楕円長軸線を対称の軸にして対向する位置に係合部材１０，１０を設けている。係合部材１０，１０はホック等適宜用いられるがファスナーが好ましい。上記、係合部材１０，１０をあわせて掛け止めることにより、半楕円形の舟形とすることができる。そして、半楕円形舟形クッション本体１は、両端に設けられた掛け止め具９ｂ，９ｂを結合することにより、図４に示す中央部分に貫通部分１１を有する変形ドーナッツ状枕１２となる。
【００１２】
本考案による多機能抱き枕１は、抱き枕として使用する場合は通常一般の使用状態で使用でき、幼児の授乳、寝かせつけに使用する場合は、図５に示す如く保育者の腰部に抱き枕を回し、その両端の掛け止め具９ｂ，９ｂ同志を固定して身体を変形ドーナッツ状の貫通開口部分１１にいれ、ドーナッツ状枕の幅広部分で乳幼児を支持することができ、乳幼児が寝入った場合は、掛け止め具９ｂ，９ｂをはずし、係合部材１０を開くことによって、２つ折りとなっていた抱き枕１００は開き、図７に示す舟形の平面状となり、クッションや敷布団として使用することが出来る。また、変形ドーナツ状とした場合には中央の貫通部分１１内に幼児を入れなければ幼児の周囲に枕本体による壁面が作られ、安全に座らせ遊ばせることが出来る。
【産業上の利用可能性】
【００１３】
本考案の抱き枕は、乳幼児の授乳、就寝時や夜泣き時などに、保育者が胴部に装着して乳幼児を支える台として使用し、また、就眠時には抱き枕周縁に縫着され、係合されている係合部材を解舒して楕円形或は舟形に開いてクッションとして使用し敷寝具としても使用可能である。更に、成人においては、本考案の枕は、通常の抱き枕として使用するほか、形状を多様に変化させることが出来るので、座り布団、背中に当てて背中を伸ばすクッション、或いは腹部前方にクッション体が突出するように装着することにより、書籍、ゲーム機等の支持台としても使用可能な多機能を有する抱き枕である。
【図面の簡単な説明】
【００１４】
【図１】本考案多機能枕を示し、Ａは平面図、Ｂは正面図、Ｃは背面図、Ｄは図１ＣのＤ−Ｄ線断面図。
【図２】本考案枕のカバーを示し、Ａは展開した状態の内面図、Ｂは図２ＡのＢ−Ｂ線断面図。
【図３】本考案枕のクッションを示し、Ａは平面図、Ｂは図３Ａの中心線Ｌ−Ｌ方向断面図。
【図４】ドーナツ状の枕の平面図で、Ａはテープ状突出片を解いた状態、Ｂは掛け止め具を環状に固定した状態を示す。
【図５】乳幼児を抱える状態の使用例を示す斜視図。
【図６】ドーナッツ状に形成した抱き枕の使用例の斜視図。
【図７】舟形に展開した状態の使用例の斜視図。
【符号の説明】
【００１５】
１００  多機能抱き枕
１  クッション本体
２，３  側地
４  充填物  
５  クッションカバー
６  表側地
７ａ，７ｂ  裏側地
８  開口部
９ａ  テープ状突出片
９ｂ  掛け止め具
１０  係合部材
１１  貫通部分  
１２  変形ドーナッツ状枕
１３  キルティング
Ｌ−Ｌ  長軸
【図１】
0003139791.tif 000003
【図２】
0003139791.tif 000004
【図３】
0003139791.tif 000005
【図４】
0003139791.tif 000006
【図５】
0003139791.tif 000007
【図６】
0003139791.tif 000008
【図７】
0003139791.tif 000009